(57)【要約】【課題】一端のハンドル（１１）と反対側に配置された保持ヘッド（１６）とを持つアーム（１２）を有する隣接歯間咬合ホルダ（１０）を提供すること。【解決手段】保持ヘッドは、保持ヘッド（１６）を越えて延びる全体が矩形の露出領域（１８”）を有する１枚の咬合フィルム（１８）を含むマーキング部分（１３）の一部である。アームまたは保持ヘッドは、アームまたはヘッドをある角度に手で曲げることができるようにする刻み目または刻み線（１９）を含んでよい。このアームは、曲げプロセスを助ける切欠き（２０）の形成を含んでもよい。ハンドル、アーム、および保持ヘッドは、原紙（２１）の２つまたはそれ以上の外層を、原紙層の間に位置する、または原紙層に挟まれた、ろうでコーティングされた咬合フィルムの内層と貼り合わせることによって形成してもよい。【選択図】図１
2017136371.tif 000002
【特許請求の範囲】
【請求項１】
隣接歯間咬合ホルダであって、
把持部分および前記把持部分と反対側に配置された保持ヘッドを有する細長いハンドルと、
前記保持ヘッドに連結された１本の咬合フィルムであって、前記保持ヘッドから遠位に位置する露出端縁、および前記保持ヘッドと前記露出端縁との間に延びる少なくとも１つの露出側縁を含む露出部分を有する１本の咬合フィルムと
を含む、前記隣接歯間咬合ホルダ。
【請求項２】
前記１本の咬合フィルムは２つの反対側に配置された側縁を含み、各側縁は前記保持ヘッドと前記露出端縁との間に延びる、請求項１に記載の隣接歯間咬合ホルダ。
【請求項３】
前記細長いハンドルは可撓性材料の２枚のシートを含み、前記可撓性材料の各シートは前記１本の咬合フィルムの１つの側に位置する、請求項１に記載の隣接歯間咬合ホルダ。
【請求項４】
前記ハンドルは刻み線を含み、
該刻み線によりハンドルを刻み線に沿って曲げることができる、請求項１に記載の隣接歯間咬合ホルダ。
【請求項５】
前記ハンドルは、前記刻み線に位置合わせされた少なくとも１つの切欠きを含む、請求項４に記載の隣接歯間咬合ホルダ。
【請求項６】
前記ハンドルは切欠きを含み、
該切欠きによりハンドルを切欠きと一直線に曲げることができる、請求項１に記載の隣接歯間咬合ホルダ。
【請求項７】
前記１本の咬合フィルムは前記保持ヘッドと前記把持部分との間に延びる、請求項１に記載の隣接歯間咬合ホルダ。
【請求項８】
前記把持部分と前記保持ヘッドとに、把持部分の幅よりも小さい幅を有するアーム部分が架け渡される、請求項１に記載の隣接歯間咬合ホルダ。
【請求項９】
前記可撓性材料の２枚のシートの間に位置する少なくとも１つの金属材料層をさらに含む、請求項３に記載の隣接歯間咬合ホルダ。
【請求項１０】
隣接歯間咬合ホルダであって、
少なくとも２つのハンドル層を有する細長いハンドルと、
前記少なくとも２つのハンドル層の少なくとも一部の間に位置する埋込部分、および前記ハンドルから外方へ延びる露出部分を有する１本の咬合フィルムと
を含む前記隣接歯間咬合ホルダ。
【請求項１１】
前記１本の咬合フィルムの前記露出部分は、前記ハンドルから遠位に位置する露出端縁と、前記ハンドルと前記露出端縁との間に延びる少なくとも１つの露出側縁とを含む、請求項１０に記載の隣接歯間咬合ホルダ。
【請求項１２】
前記１本の咬合フィルムは２つの反対側に配置された側縁を含み、各側縁は前記保持ヘッドと前記露出端縁との間に延びる、請求項１１に記載の隣接歯間咬合ホルダ。
【請求項１３】
前記少なくとも２つのハンドル層は可撓性層である、請求項１０に記載の隣接歯間咬合ホルダ。
【請求項１４】
前記細長いハンドルは、前記１本の咬合フィルムの前記露出部分に隣接して位置する刻み線を含み、
該刻み線により細長いハンドルを刻み線に沿って曲げることができる、請求項１０に記載の隣接歯間咬合ホルダ。
【請求項１５】
前記細長いハンドルは、前記刻み線に位置合わせされた少なくとも１つの切欠きを含む、請求項１４に記載の隣接歯間咬合ホルダ。
【請求項１６】
前記細長いハンドルは、前記１本の咬合フィルムの前記露出部分に隣接する切欠きを含み、
該切欠きによりハンドルを切欠きと一直線に曲げることができる、請求項１０に記載の隣接歯間咬合ホルダ。
【請求項１７】
前記細長いハンドルは保持ヘッドおよび把持部分を含み、前記１本の咬合フィルムは前記保持ヘッドと前記把持部分との間に延びる、請求項１０に記載の隣接歯間咬合ホルダ。
【請求項１８】
前記少なくとも２つのハンドル層の間に位置する少なくとも１つの金属材料層をさらに含む、請求項１３に記載の隣接歯間咬合ホルダ。
【請求項１９】
隣接歯間咬合ホルダであって、
把持部分および前記把持部分の遠位に位置する末端縁を有する細長いハンドルと、
前記末端縁で前記細長いハンドルに連結された１本の咬合フィルムであって、前記細長いハンドルの前記末端縁と反対側に配置された露出端縁、および前記細長いハンドルの前記末端縁と前記咬合フィルムの前記露出端縁との間に延びる、２つの反対側に配置された露出側縁を有する１本の咬合フィルムと
を含む、前記隣接歯間咬合ホルダ。
【請求項２０】
前記細長いハンドルは可撓性材料の２枚のシートを含み、前記可撓性材料の各シートは前記１本の咬合フィルムの１つの側に位置する、請求項１９に記載の隣接歯間咬合ホルダ。
【請求項２１】
前記ハンドルは刻み線を含み、
該刻み線によりハンドルを刻み線に沿って曲げることができる、請求項１９に記載の隣接歯間咬合ホルダ。
【請求項２２】
前記ハンドルは前記刻み線に位置合わせされた少なくとも１つの切欠きを含む、請求項２１に記載の隣接歯間咬合ホルダ。
【請求項２３】
前記ハンドルは切欠きを含み、
該切欠きによりハンドルを切欠きと一直線に曲げることができる、請求項１９に記載の隣接歯間咬合ホルダ。
【請求項２４】
前記可撓性材料の２枚のシートの間に位置する少なくとも１つの金属材料層をさらに含む、請求項２０に記載の隣接歯間咬合ホルダ。
【発明の詳細な説明】
【技術分野】
【０００１】
関連出願の参照
出願人は、２０１６年２月２日に出願された、隣接歯間咬合ホルダと題する米国仮特許出願第６２／２９０，０６２号の優先権を主張する。
【０００２】
本発明は、一般に、歯科器具に関し、より詳細には、隣接歯間咬合ホルダに関する。
【背景技術】
【０００３】
歯科器具は、数十年にわたって存在している。現在の歯科器具は、歯に印を付けて、歯科医が隣接する歯の間または隣接歯間の適切な間隔を決定できるように設計されたデバイスを含む。そのような間隔は、本明細書において補綴物と総称するキャップ、クラウン、ベニア、アンレー／インレー、ブリッジ、部分歯科インプラントなどをサイジング、成形、または装着する際に重要である。
【０００４】
歯科医は、しばしば、特別に設計された金属鉗子を使用して、接触したとき歯に印を付ける咬合フィルムの小さいセクションを保持する。咬合フィルムは歯科処置中に隣接する歯の間に配置されて、適切な位置決めまたは間隔を決定する。そのような鉗子についての問題は、これがかなり大きく、剛性で、人の口の範囲内で操作しにくいことである。
【０００５】
歯に印を付けるための別の解決法は、補綴物を位置決めする前に隣接する歯または補綴物に「ペイントオンコンタクト（ｐａｉｎｔ−ｏｎ  ｃｏｎｔａｃｔ）」を施すことである。補綴物の接触によってペイントオンコンタクトの一部を除去することにより、隣接する歯と補綴物との間でどこが接触しているかを示す。しかしながら、このプロセスは面倒で、適用しにくいことがある。
【０００６】
歯に印を付けるためのさらに別の解決法は、インクマーカの使用である。インクマーカは、使い捨てホルダ内に位置する、短いインク含浸フロスの形態であってよい。フロスは隣接する歯と補綴物との間に押し込まれて、インクがこれらの歯および補綴物にしみをつける。しかしながら、インクのしみは、識別または読取りが難しい。
【発明の概要】
【発明が解決しようとする課題】
【０００７】
したがって、操作および読取りが容易な歯科マーキングホルダ、特に隣接歯間咬合ホルダが依然として必要であることがわかる。したがって、本発明は主にそのようなホルダを提供することを対象とする。
【課題を解決するための手段】
【０００８】
隣接歯間咬合ホルダは、把持部分および把持部分と反対側に配置された保持ヘッドを有する細長いハンドルと、保持ヘッドに連結された１本の咬合フィルムとを含む。１本の咬合フィルムは、保持ヘッドから遠位に位置する露出端縁、および保持ヘッドと露出端縁との間に延びる少なくとも１つの露出側縁を含む露出部分を有する。
【図面の簡単な説明】
【０００９】
【図１】本発明の原理を好ましい形態で具体化した隣接歯間咬合ホルダの斜視正面図である。
【図２】図１の隣接歯間咬合ホルダの分解斜視図である。
【図３】本発明の原理を別の好ましい形態で具体化した隣接歯間咬合ホルダの分解斜視図である。
【図４】本発明の原理をさらに別の好ましい形態で具体化した隣接歯間咬合ホルダの斜視図である。
【図５】本発明の原理をさらに別の好ましい形態で具体化した隣接歯間咬合ホルダの斜視図である。
【発明を実施するための形態】
【００１０】
次に図面を参照すると、本発明の好ましい形態による、咬合紙またはフィルムを含んで保持するように設計された歯科器具が示される。歯科器具は、隣接歯間咬合ホルダ１０として最良に動作するように設計されるが、これに限定されない。
【００１１】
隣接歯間咬合ホルダ１０は、細長い部材もしくはアーム１２の一端から延びる、堅いが可撓性の拡大ハンドル、把持部分、またはハンドル部分１１と、アーム１２の反対端から延びるマーキング部分１３とを含む。ハンドル１１の拡大領域を把持部分１４とみなしてもよい。
【００１２】
マーキング部分１３は保持ヘッド１６を有し、保持ヘッド１６には、ろうまたはインクでコーティングされた１枚の咬合紙またはフィルム１８が取り付けられる。咬合フィルムは、ハンドル１１の範囲内の埋込部分１８’と、保持ヘッド１６の末端縁２３を越えて外方へ延びる、全体が矩形の露出領域１８”とを有するが、本発明から逸脱することなく他の形状を使用してもよく、またはこれらの部分に丸い角部を使用してもよい。咬合フィルム１８は、概ねアーム１２の長さと共通の長手方向に、またはこの長さに沿って延びるように方向付けられる。露出領域１８”は、保持ヘッド１６から遠位に位置する露出端縁２４と、端縁２４と保持ヘッド１６との間に延びる２つの露出側縁２５とを含む。
【００１３】
アーム１２、保持ヘッド１６、またはこれらの間の移行領域は、刻み目または刻み線（ｓｃｏｒｅ  ｌｉｎｅ）１９を含んでよく、これにより、アーム、保持ヘッド、またはこれらの間の部分を手で折るまたは曲げることができるため、保持ヘッドおよび咬合フィルム１８を、アーム１２の少なくとも大部分に対してある角度で設定する。本明細書において使用される刻み目または刻み線という用語は、任意の折曲げ、エンボス、穴、折り目、切れ目、または他の予め形成された弱い部分（ｗｅａｋｎｅｓｓ）または凹みなどを含むものとする。図３に示すように、アーム１２、保持ヘッド１６、またはこれらの間の領域の側縁に切欠き２０を形成して、この領域の幅を小さくすることにより、この曲げを単独で、または刻み線１９と組み合わせて達成してもよい。
【００１４】
ハンドル１１、アーム１２、および保持ヘッド１６は、プラスチックまたは原紙（ｓｔｏｃｋ  ｐａｐｅｒ）２１の２つまたはそれ以上の外層またはシートを、プラスチックまたは原紙層２１の間に位置する、またはこれらに挟まれた、ろうもしくはインクでコーティングされた咬合フィルム１８の内層と貼り合わせることによって形成してもよい。図面はハンドル、アーム、および保持ヘッドの全長に沿った咬合フィルム１８を示すが、代わりに、咬合フィルム１８がそれらの一部内のみに位置して咬合フィルムを固定してもよいことを理解されたい。原紙層２１は、８−１８タグストックであってよい。あるいは、ハンドル、アーム、およびヘッドを、曲げられていることの保持記憶（ｒｅｔｅｎｔｉｏｎ  ｍｅｍｏｒｙ  ｏｆ  ｂｅｉｎｇ  ｂｅｎｔ）を可能にしつつ構造的安定性をもたらすプラスチック材料または任意の他の材料から作ってもよい。
【００１５】
咬合フィルム１８の露出領域１８”は、保持ヘッド１６を超えて延びる約１４ｍｍの好ましい長さ、約８ｍｍの幅、および約１９〜２０ミクロンの厚さを有してもよい。あるいは、咬合フィルム１８は、インク含浸タイプの紙であってもよいが、本明細書で使用されるように、咬合フィルムという用語はあらゆるタイプのそのようなマーキング紙またはフィルムを含むものである。
【００１６】
原紙層２１および／または咬合フィルム１８の層は貼り合わせてもよく、共に接着してもよく、または任意の他の従来の方法で接合してもよい。
【００１７】
使用時に、歯科補綴物を患者の口から取り外した状態で、ホルダ１０を患者の口に部分的に挿入し、咬合フィルム１８を補綴物の位置に隣接する歯に接して位置させる。その後、補綴物を患者の口内で所定位置に配置し、そこで補綴物が咬合フィルムに接触することにより、補綴物および隣接する歯に印を作成する。その後、歯科医は補綴物および歯の上のマーキングを読み取り、または使用して、適切なまたはより良好な装着をもたらすために補綴物または歯を再形成または調節する必要があるかどうかを判定する。
【００１８】
咬合フィルム１８の露出部分１８”の３辺に構造がないため、ホルダ１０を隣接する歯と補綴物との間に位置させたまま容易に後退させることができる。また、これにより、露出された咬合フィルム１８”が遮るものなく明確に見えるようになる。
【００１９】
口、歯、および補綴物の角度または位置による露出部分１８”の所望の位置決めには、ホルダ１０を傾斜させて露出部分１８”のより良好な最終位置をもたらすことが必要となり得る。この課題を達成するために、ユーザは、刻み線１９、または切欠き２０、または刻み線１９および切欠き２０の組合せに沿ってホルダ１０を折り曲げ、曲げ、または折ることができる。ホルダハンドル層２１は、ハンドルの最初の位置決めへの戻りに抵抗することにより曲げを保持する。
【００２０】
プレス成形またはエンボス加工などによりハンドル１１を形成して、ハンドル１１の把持能力を高めるテクスチャを含むようにしてもよいことを理解されたい。あるいは、ハンドル１１が、把持能力を高める１つまたはそれ以上の孔または周囲の切欠きを備えてもよい。
【００２１】
次に図３を参照すると、図１、図２を参照して説明したホルダに非常によく似たホルダが示される。ここでは、ホルダは１つまたはそれ以上の金属箔層２２などを含んで、より大きい記憶属性をもたらし、アーム１２または保持ヘッド１６をある角度で曲げた場合に、ホルダがその最初の曲がっていない構成への戻りに抵抗する、すなわち、曲げが所定位置にとどまるようにする。
【００２２】
次に図４を参照すると、本発明の別の好ましい形態のホルダ３０が示される。ここでは、保持ヘッド３６が、咬合フィルム４２の露出部分の一方の側縁および上縁に巻き付く。本実施形態は代替設計として含まれているが、咬合フィルム４２の露出部分の周りのヘッドのさらなる構造が、取外しを妨げ、または歯科医の視野を覆い隠すことがあると好ましくない。ここでは、咬合フィルム４２の露出領域が、保持ヘッド３６から延びる露出側縁４３を含む。
【００２３】
次に図５を参照すると、本発明の別の好ましい形態のホルダ５０が示される。ここでは、保持ヘッド５６が、咬合フィルム６２の露出部分の一方の側縁および上縁に巻き付く。再び、本実施形態は、代替実施形態として含まれているが、咬合フィルム６２の周りの保持ヘッドのさらなる構造が、取外しを妨げ、または歯科医の視野を覆い隠すことがあると好ましくない。ここでは、咬合フィルム６２の露出領域が、保持ヘッド５６から延びる露出側縁６３と、保持ヘッド５６から遠位に位置する端縁６４とを含む。
【００２４】
アーム１２は、把持部分１１の幅よりも小さい幅、すなわち図１に示すアーム１２を横切る横方向距離を有することを理解されたい。アームをテーパ状にして、把持端から保持ヘッドへ向かって幅が小さくなるようにしてもよい。この構成により、ホルダの十分な把持をもたらしつつ、ホルダをより良好に口内に配置することができる。
【００２５】
ハンドルに関して本明細書で使用される堅いという用語は、ハンドルがそれ自身の重量で、もしくは咬合フィルムと組み合わせたそれ自身の重量で折り曲がらない、または曲がらないことを意味するものであることを理解されたい。
【００２６】
したがって、先行技術に関連付けられた問題を克服する歯科用ツールが提供されていることがわかる。本発明をその好ましい実施形態に特に関連して詳細に説明したが、明記したものに加えて、本発明の精神および範囲から逸脱することなく、多くの修正、追加、および削除を行ってもよいことを理解されたい。
【符号の説明】
【００２７】
１０、３０、５０  隣接歯間咬合ホルダ
１１  ハンドル、ハンドル部分
１２  アーム
１３  マーキング部分
１４  把持部分
１６、３６、５６  保持ヘッド
１８、４２、６２  咬合フィルム
１８’  埋込部分
１８”  露出領域、露出部分、露出された咬合フィルム
１９  刻み線
２０  切欠き
２１  原紙、原紙層、ホルダハンドル層
２２  金属箔層
２３  末端縁
２４  露出端縁
２５、４３、６３  露出側縁
【図１】
2017136371.tif 000003
【図２】
2017136371.tif 000004
【図３】
2017136371.tif 000005
【図４】
2017136371.tif 000006
【図５】
2017136371.tif 000007
【外国語明細書】
2017136371000001.pdf